(57)【特許請求の範囲】
【請求項１】
固定接点が設けられたハウジングと、前記固定接点と摺接する可動接点と、前記ハウジング内にスライド可能に保持され前記可動接点が設けられたスライド部材と、前記スライド部材のスライド方向に延在する板状に形成され、一面側に前記スライド部材と係脱する膨出部が設けられたクリック感触を得るためのクリック板ばねと、前記スライド部材のスライド方向に延在する板状に形成されると共に前記クリック板ばねの他面側に配設され、当該クリック板ばねを付勢可能な補助板ばねと、を備えたスライドスイッチにおいて、
前記補助板ばねは、当該補助板ばねの延在方向に沿った互いに対向する第１外縁部と第２外縁部とを有し、
前記第１外縁部には、前記第２外縁部側に向かって切り欠かれた複数の第１凹部が形成されると共に、前記第２外縁部には、前記第１外縁部側に向かって切り欠かれた複数の第２凹部が形成されており、
前記第１凹部と第２凹部とが、前記補助板ばねの延在方向において、互い違いとなるように前記補助板ばねに設けられていることを特徴とするスライドスイッチ。
【請求項２】
前記第１凹部及び第２凹部が、Ｕ字状に形成されていることを特徴とする請求項１に記載のスライドスイッチ。
【請求項３】
前記ハウジングは、上方が開放された収容部を有するケースと、前記収容部を覆うように前記ケースに被せられ中央部に開口部を有するカバー部材とにより構成され、
前記クリック板ばね及び前記補助板ばねは、それぞれ、その板面が前記収容部の内底面と交差するように前記収容部内に保持されており、
前記スライド部材は、前記収容部に配設される本体部と、この本体部から上方に突出し前記開口部に挿通される操作部とを備えると共に、前記本体部は、前記膨出部に係脱するカム山部とこのカム山部を覆うように設けられた張出部とを有し、
前記クリック板ばねの上端部には、当該クリック板ばねの延在方向における一端部及び他端部を除いた領域に切欠き部が形成され、
前記膨出部の少なくとも頂部が前記張出部に覆われていることを特徴とする請求項１または請求項２に記載のスライドスイッチ。
【請求項４】
前記張出部の少なくとも一部は、前記カバー部材に覆われていると共に、前記スライド部材が一方または他方の移動末端までスライドした際に、前記クリック板ばねの前記一端部または他端部を受け入れ可能な一対の逃げ部が、前記張出部に形成されており、前記膨出部の頂部が前記カム山部と係合していない非係合状態において、前記一対の逃げ部の間に位置する前記張出部は、前記切欠き部が形成された部分における前記クリック板ばねの上端面と前記カバー部材との間に配設されていることを特徴とする請求項３に記載のスライドスイッチ。
【請求項５】
前記補助板ばねの上下方向における高さ寸法は、前記クリック板ばねの前記一端部及び他端部と同等に形成され、前記補助板ばねの上端部における一面が、前記スライド部材の前記張出部の端面と対向していることを特徴とする請求項３または請求項４に記載のスライドスイッチ。
【発明の詳細な説明】
【技術分野】
【０００１】
本発明は、スライドスイッチに関し、特に、スライド操作時にクリック感触が得られるスライドスイッチに関する。
【背景技術】
【０００２】
従来、操作者によるスライド操作に伴ってスライド移動するスライド部材と、このスライド部材と表面側で係脱してクリック感触を発生させる板状のクリックばねとを備えたスライドスイッチが、例えば、特許文献１により知られている。この特許文献１に開示されているスライドスイッチは、クリック感触を高めるために、クリックばねの裏面側に板状の補助ばねを配置して、クリックばねに弾性力を付与するものとなっている。
【先行技術文献】
【特許文献】
【０００３】
【特許文献１】特開２０１１−０５４３８５号公報
【発明の概要】
【発明が解決しようとする課題】
【０００４】
しかしながら、スライドスイッチが小型化され、特に、スライド部材のスライド方向の寸法が短くなると、補助ばねの延在方向における寸法も短くなるため、補助ばねに所望の弾性を確保するのが困難となり、良好なクリック感触が得られにくいものとなる。
【０００５】
本発明は、上述した課題を解決して、スライド部材のスライド方向におけるスライドスイッチの寸法が短い場合でも、良好なクリック感触を得ることができるスライドスイッチを提供することを目的とする。
【課題を解決するための手段】
【０００６】
この課題を解決するために、本発明は、固定接点が設けられたハウジングと、前記固定接点と摺接する可動接点と、前記ハウジング内にスライド可能に保持され前記可動接点が設けられたスライド部材と、前記スライド部材のスライド方向に延在する板状に形成され、一面側に前記スライド部材と係脱する膨出部が設けられたクリック感触を得るためのクリック板ばねと、前記スライド部材のスライド方向に延在する板状に形成されると共に前記クリック板ばねの他面側に配設され、当該クリック板ばねを付勢可能な補助板ばねと、を備えたスライドスイッチにおいて、前記補助板ばねは、当該補助板ばねの延在方向に沿った互いに対向する第１外縁部と第２外縁部とを有し、前記第１外縁部には、前記第２外縁部側に向かって切り欠かれた複数の第１凹部が形成されると共に、前記第２外縁部には、前記第１外縁部側に向かって切り欠かれた複数の第２凹部が形成されており、前記第１凹部と第２凹部とが、前記補助板ばねの延在方向において、互い違いとなるように前記補助板ばねに設けられていることを特徴とする。
【０００７】
上記スライドスイッチによれば、補助板ばねの延在方向に沿った第１外縁部と第２外縁部とに、互い違いとなるように第１凹部と第２凹部とを設けることにより、補助板ばねが変形してクリック板ばねを付勢する際に、補助板ばねは、蛇行するような形状で弾性変形するので、補助板ばねの変形できる長さ（ばねスパン）が蛇行する分、長くなり、補助板ばねの弾性を高められる。このため、スライド部材のスライド方向におけるスライドスイッチの寸法が小さくても、良好なクリック感触を得ることが可能となる。
【０００８】
上記スライドスイッチにおいて、前記第１凹部及び第２凹部が、Ｕ字状に形成されていることが好ましい。
【０００９】
この場合には、第１凹部及び第２凹部がＵ字状に形成されているので、凹部を矩形状やＶ字状に形成した場合に比べて、補助板ばねの変形を円滑にできるため、変形時に応力が集中しにくくなり、長期に渡って良好なクリック感触を得ることが可能となる。
【００１０】
また、前記ハウジングは、上方が開放された収容部を有するケースと、前記収容部を覆うように前記ケースに被せられ中央部に開口部を有するカバー部材とにより構成され、前記クリック板ばね及び前記補助板ばねは、それぞれ、その板面が前記収容部の内底面と交差するように前記収容部内に保持されており、前記スライド部材は、前記収容部に配設される本体部と、この本体部から上方に突出し前記開口部に挿通される操作部とを備えると共に、前記本体部は、前記膨出部に係脱するカム山部とこのカム山部を覆うように設けられた張出部とを有し、前記クリック板ばねの上端部には、当該クリック板ばねの延在方向における一端部及び他端部を除いた領域に切欠き部が形成され、前記膨出部の少なくとも頂部が前記張出部に覆われていることが好ましい。
【００１１】
この場合には、カム山部を覆うように設けたスライド部材の張出部によって、クリック板ばねの膨出部の少なくとも頂部が覆われるので、上方に突出する操作部がカバー部材の開口部に挿通される形態のスライドスイッチにおいて、スライド部材のカム山部と係脱するクリック板ばねの膨出部がカバー部材の開口部内に位置していても、この膨出部の少なくとも頂部が開口部から露出するのを防ぐことができる。このため、仮に開口部から異物が侵入した場合でも、この異物が膨出部やカム山部に付着しにくいものとなり、異物によるクリック感触の悪化を防止することができる。また、クリック板ばねの一端部と他端部とには、切欠き部が設けられていないことから、この一端部と他端部とを、ケースとカバー部材との間で上下方向の動きを規制することができるので、クリック板ばねがスライド部材に係脱して変形する際に、不所望に傾くのを防止でき、良好なクリック感触を確実に得ることができる。
【００１２】
上記スライドスイッチにおいて、前記張出部の少なくとも一部は、前記カバー部材に覆われていると共に、前記スライド部材が一方または他方の移動末端までスライドした際に、前記クリック板ばねの前記一端部または他端部を受け入れ可能な一対の逃げ部が、前記張出部に形成されており、前記膨出部の頂部が前記カム山部と係合していない非係合状態において、前記一対の逃げ部の間に位置する前記張出部は、前記切欠き部が形成された部分における前記クリック板ばねの上端面と前記カバー部材との間に配設されていることが好ましい。
【００１３】
この場合には、膨出部の頂部がカム山部と係合していない非係合状態、すなわち、非操作状態において、クリック板ばねの一端部または他端部を受け入れ可能な一対の逃げ部の間に位置するスライド部材の張出部を、切欠き部が形成された部分におけるクリック板ばねの上端面とカバー部材との間に配設している。このため、スライド部材の張出部は、クリック板ばねの端面上に位置して、スライド部材とクリック板ばねとがオーバーラップするものとなるので、スライドスイッチのスライド方向と直交する幅方向の寸法を小さくすることが可能となる。また、張出部の少なくとも一部は、カバー部材で覆われているため、張出部においてもスライド部材の上下方向の動きを規制できるので、クリック板ばねとスライド部材とが係脱する際に、スライド部材が上昇するような不所望な動きの発生を防止して、良好にスライド部材を操作することができる。
【００１４】
上記スライドスイッチにおいて、前記補助板ばねの上下方向における高さ寸法は、前記クリック板ばねの前記一端部及び他端部と同等に形成され、前記補助板ばねの上端部における一面が、前記スライド部材の前記張出部の端面と対向していることが好ましい。
【００１５】
この場合には、補助板ばねの高さ寸法を切欠き部が設けられていないクリック板ばねの両端部と同等にしているので、補助板ばねの上下方向における寸法が確保されるため、クリック板ばねを付勢する弾性力が弱くなるのを抑制できる。
【発明の効果】
【００１６】
本発明によれば、補助板ばねの延在方向に沿った互いに対向する第１外縁部と第２外縁部とに、互い違いとなるように第１凹部と第２凹部とを設けることにより、補助板ばねが変形してクリック板ばねを付勢する際に、補助板ばねは、蛇行するような形状で弾性変形するので、補助板ばねの変形できる長さ（ばねスパン）が蛇行する分、長くなることから、補助板ばねの弾性を高められる。このため、スライド部材のスライド方向におけるスライドスイッチの寸法が小さくても、良好なクリック感触を得ることが可能となる。
【図面の簡単な説明】
【００１７】
【図１】本発明の一実施の形態に係るスライドスイッチの分解斜視図である。
【図２】本実施の形態に係るスライドスイッチの外観を示す斜視図である。
【図３】本実施の形態に係るスライドスイッチの上面図である。
【図４】本実施の形態に係るスライドスイッチが有するケースの上面図である。
【図５】本実施の形態に係るスライドスイッチのハウジングを除いた各構成部材を下方側から示す分解斜視図である。
【図６】本実施の形態に係るスライドスイッチが有するスライド部材の底面図である。
【図７】本実施の形態の上面図であり、図７（ａ）は図３からカバー部材を除去して示す上面図、図７（ｂ）は図７（ａ）からスライド部材を除去して示す上面図である。
【図８】図３のＡ−Ａ線で切断して示す断面図である。
【図９】本実施の形態に係るスライドスイッチの操作の途中状態を、カバー部材を省略して示す上面図である。
【図１０】本実施の形態に係るスライドスイッチの操作後の状態を、カバー部材を省略して示す上面図である。
【発明を実施するための形態】
【００１８】
［一実施の形態］
以下に、本発明の一実施の形態に係るスライドスイッチについて図面を用いて詳細に説明する。
【００１９】
図１は、本発明の一実施の形態に係るスライドスイッチ１００の分解斜視図である。図２は、本実施の形態に係るスライドスイッチ１００の外観を示す斜視図である。図３は、本実施の形態に係るスライドスイッチ１００の上面図である。なお、以下の説明において、説明の便宜上、図１に示す上方向（Ｚ１方向）を、スライドスイッチ１００の「上方向」あるいは、「上方」と呼び、下方向（Ｚ２方向）を、スライドスイッチ１００の「下方向」あるいは、「下方」と呼ぶものとする。また、図４は、本実施の形態に係るスライドスイッチ１００が有するケース２の上面図であり、図５は、本実施の形態に係るスライドスイッチ１００のハウジング（ケース２とカバー部材７）を除いた各構成部材を下方側から示す分解斜視図である。図６は、本実施の形態に係るスライドスイッチ１００が有するスライド部材の底面図である。なお、図６においては、便宜上、操作部３８の位置を仮想線（破線）で示している。
【００２０】
図１に示すように、スライドスイッチ１００は、固定接点１が設けられたケース２と、スライド移動可能にケース２に収容されるスライド部材３と、このスライド部材３に固定される可動接点４と、スライド部材３の移動に伴ってスライド部材３と係脱するクリック板ばね５と、このクリック板ばね５を裏面側（他面側）から付勢する補助板ばね６と、ケース２に一体化されるカバー部材７と、を有して構成される。なお、ケース２とカバー部材７とにより、図２及び図３に示すように、略矩形形状のハウジング９０が構成される。
【００２１】
ケース２は、例えば、絶縁性の樹脂材料を成形することにより、図１に示すように、上方が開放された略長方形の箱形状に形成されている。ケース２には、内底面２１を有する略平板状の底壁部２２と、この底壁部２２を囲むように形成された環状の側壁部２３とが設けられている。側壁部２３は、ケース２の長手方向であるスライド部材３のスライド方向（Ｘ１−Ｘ２方向）に沿って延びる互いに対向した一対の第１側壁部２３ａと、一対の第１側壁部２３ａを連結するように設けられた互いに対向する一対の第２側壁部２３ｂとにより構成されている。
【００２２】
側壁部２３（第１側壁部２３ａ、第２側壁部２３ｂ）で囲まれた空間は、収容部２０となっている。また、図４に示すように、ケース２の短手方向（Ｙ１―Ｙ２方向）における中央部には、スライド部材３のスライド移動を案内する案内壁部２４が、第２側壁部２３ｂ同士を連結するように、底壁部２２から上方（Ｚ１方向）に突出して形成されている。収容部２０は、この案内壁部２４を挟んで、固定接点１が配設される第１収容部２０ａと、クリック板ばね５及び補助板ばね６が収容される第２収容部２０ｂとに大別される。なお、底壁部２２は、第１収容部２０ａと第２収容部２０ｂとでその厚さが異なっている（図８参照）。
【００２３】
固定接点１は、導電性を有する金属板からなり、その表面（上面）がケース２の内底面２１と面一状態となるように、底壁部２２に埋設されている。図４に便宜上、異なるハッチングを施して示すように、固定接点１は、所定間隔を有して絶縁状態で配設された第１固定接点１１と第２固定接点１２とで構成されている。第１固定接点１１及び第２固定接点１２は、それぞれ一部がケース２から外部に露出した第１端子部１１ａ及び第２端子部１２ａを有している。一対の第２側壁部２３ｂには、それぞれ、案内壁部２４の両端部と離間して対向するように、一対の支持突部２５が第２収容部２０ｂ内に突出して設けられている。この支持突部２５の上下方向（Ｚ１−Ｚ２方向）における高さ寸法は、収容部２０（第２収容部２０ｂ）の深さ寸法よりも僅かに小さいものとなっている。これに対し、案内壁部２４の上下方向における高さ寸法は、支持突部２５よりもさらに低く設定されている。
【００２４】
第２収容部２０ｂを画成する一方の第１側壁部２３ａは、その延在方向（Ｘ１−Ｘ２方向）における中央部が、その両端部よりも案内壁部２４からの距離が大きくなるように形成されている。これは、スライド部材３がクリック板ばね５と係合した際に、クリック板ばね５及び補助板ばね６の弾性変形を妨げないようにするためである。この一方の第１側壁部２３ａの両端部近傍には、補助板ばね６を保持するための凹溝２６が上下方向に延びるように形成されている。なお、第２側壁部２３ｂの中央部には、後述するカバー部材７を位置決めするための凹部２７が設けられると共に、側壁部２３の四隅部（第２側壁部２３ｂの両端部）には、カバー部材７を取り付けるための突状の取付部２８が設けられている。
【００２５】
スライド部材３は、例えば、絶縁性の樹脂材料を成形することにより、図１等に示すように、上面視略長方形に形成されている。スライド部材３は、ケース２の収容部２０に収容される本体部３０と、この本体部３０から上方に突出し、後述するカバー部材７の開口部７１に挿通される操作部３８とを有する。スライド部材３を上方側（Ｚ１方向側）から上面視した場合において、この操作部３８は、全周が本体部３０の上面に囲まれるように設けられている。図５に示すように、本体部３０には、案内壁部２４を挿入可能な凹溝部３３がスライド方向（Ｘ１−Ｘ２方向）に沿って形成されており、スライド部材３がスライド移動する際に、凹溝部３３がケース２の案内壁部２４によって案内されるものとなっている。
【００２６】
本体部３０には、凹溝部３３を挟んで一方側（Ｙ１方向側）に、第１収容部２０ａに配置される第１部分３１が設けられ、他方側（Ｙ２方向側）に、第２収容部２０ｂに配置される第２部分３２が設けられている。第１部分３１には、可動接点４が配設される凹状の配置部３１ａが、凹溝部３３と連通して形成されている。第２部分３２は、ケース２の内底面２１と交差するように設けられた壁部３２ａと、この壁部３２ａからクリック板ばね５及び補助板ばね６側であるＹ２方向側に突出したカム山部３２ｂと、このカム山部３２ｂを上方側から覆うように設けられた、ひさし状の張出部３２ｃとを有している。張出部３２ｃは、スライド部材３のスライド方向に延在して形成されており、その両端部には、後述するクリック板ばね５の一端部５ｃまたは他端部５ｄを受け入れ可能な一対の逃げ部３２ｄが形成されている。
【００２７】
なお、図６において、操作部３８を仮想線（破線）で示すように、スライド部材３を下方側から透視した場合に、操作部３８とカム山部３２ｂとがオーバーラップするように配置されている。したがって、張出部３２ｃをスライド部材３に設けない場合には、カバー部材７の開口部７１からカム山部３２ｂ及び後述するクリック板ばね５の膨出部５ｂが露出するものとなるが、張出部３２ｃを設けることで、カム山部３２ｂ及び膨出部５ｂ（頂部５ｆ）の開口部７１からの露出を防止している。これにより、開口部７１から異物が侵入しても、クリック感触を得るカム山部３２ｂ及び膨出部５ｂに異物が付着しにくくなり、クリック感触が悪化するのを防ぐことが可能となる。
【００２８】
可動接点４は、ばね性を有する導電性の金属板材によって形成されている。図１及び図５に示すように、可動接点４は、平板状の基部４ａと、この基部４ａの両端部からＵ字状に折り返された第１接点部４ｂ及び第２接点部４ｃとを有する。第１接点部４ｂは、第１固定接点１１と常時接触する一方、第２接点部４ｃは、スライド部材３のスライド移動に伴って、第２固定接点１２と接離するものとなっている。なお、基部４ａには、互いに逆方向へ延出する一対の延出部４ｄが設けられている。この延出部４ｄは、可動接点４がスライド部材３の配置部３１ａに収容された状態において、圧入や熱カシメ等の適宜の手段によって配置部３１ａ内に固定される。
【００２９】
クリック板ばね５は、ばね性を有する金属板材にプレス加工等を施すことによって、図１及び図５に示すように、スライド部材３のスライド方向（Ｘ１−Ｘ２方向）に延在する板状に形成されている。クリック板ばね５は、その延在方向（Ｘ１−Ｘ２方向）における中央部に形成された膨出部５ｂと、この膨出部５ｂの両側に位置する略平板状の板状部５ａとを有する。膨出部５ｂは、クリック板ばね５の中央部における一面（Ｙ１側の面）に、スライド部材３側（Ｙ１方向側）へ突出するように形成されている。この膨出部５ｂは、スライド部材３のスライド移動に伴って、カム山部３２ｂと係脱し、クリック感触を生起するものである。
【００３０】
クリック板ばね５の延在方向における一端部５ｃと他端部５ｄとの間に位置する板状部５ａ及び膨出部５ｂの上端部には、切欠き部５ｅが形成されている。すなわち、クリック板ばね５の上下方向（Ｚ１−Ｚ２方向）における高さ寸法は、板状部５ａ及び膨出部５ｂよりも、両端部（一端部５ｃ、他端部５ｄ）が大きく形成されている。したがって、一端部５ｃ及び他端部５ｄは、板状部５ａから上方へ突出するような形状をなしている。
【００３１】
補助板ばね６は、ばね性を有する金属板材にプレス加工等を施すことによって、図１及び図５に示すように、スライド部材３のスライド方向（Ｘ１−Ｘ２方向）に延在する板状（平板状）に形成されている。この補助板ばね６は、クリック板ばね５の他面側（Ｙ２側の面側）に配設され、クリック板ばね５の他面側からこのクリック板ばね５を付勢するものであり、上下方向（Ｚ１−Ｚ２方向）における高さ寸法は、クリック板ばね５の一端部５ｃ及び他端部５ｄと同等に形成されている。補助板ばね６は、その延在方向（Ｘ１−Ｘ２方向）に沿うと共に、互いに対向する第１外縁部６ａと第２外縁部６ｂとを有する。
【００３２】
補助板ばね６の上端部で構成される第１外縁部６ａには、第２外縁部６ｂ側（Ｚ２方向側）に向かって切り欠かれた複数（本実施の形態においては、３個）の第１凹部６ｃが、等間隔で離間して形成されている。また、補助板ばね６の下端部で構成される第２外縁部６ｂには、第１外縁部６ａ側（Ｚ１方向側）に向かって切り欠かれた複数（本実施の形態においては、３個）の第２凹部６ｄが、等間隔で離間して形成されている。これら第１凹部６ｃ及び第２凹部６ｄは、Ｕ字状に形成されており、第１凹部６ｃと第２凹部６ｄとが、補助板ばね６の延在方向において等間隔で互い違いとなるように配置されている。
【００３３】
また、隣り合う第１凹部６ｃの間に位置する第１凹部の非形成領域が、この領域に位置する第２凹部６ｄの幅寸法（Ｘ１−Ｘ２方向における寸法）よりも大きくなっている。同様に、隣り合う第２凹部６ｄの間に位置する第２凹部の非形成領域が、この領域に位置する第１凹部６ｃの幅寸法（Ｘ１−Ｘ２方向における寸法）よりも大きく形成されている。また、第１凹部６ｃ及び第２凹部６ｄの深さ寸法（Ｚ１−Ｚ２方向における寸法）は、補助板ばね６の高さ寸法の１／３以上で１／２未満となるように設定されている。なお、本実施の形態では、補助板ばね６は、Ｙ２側から見た正面視において、点対称に形成されており、この補助板ばね６をケース２に組み込む際に、向きの自由度を高めている。
【００３４】
カバー部材７は、例えば、金属板材にプレス加工や折り曲げ加工を施すことによって、図３に示すように、上面視略長方形に形成されている。カバー部材７は、ケース２に取り付けられ、ケース２と共にハウジング９０を構成する。カバー部材７は、スライド部材３のスライド方向（Ｘ１−Ｘ２方向）に長い平板状の天板部７ａを有し、この天板部７ａの中央部には、長方形状の長孔からなる開口部７１が形成されている。この開口部７１は、スライド部材３の操作部３８が挿通されるもので、長手方向（Ｘ１−Ｘ２方向）における寸法は操作部３８の操作に伴う移動量に対応する一方、短手方向（Ｙ１−Ｙ２方向）の寸法は、操作部３８の同方向（Ｙ１−Ｙ２方向）における寸法よりも僅かに大きく形成されている。
【００３５】
天板部７ａの延在方向である長手方向（Ｘ１−Ｘ２方向）における両端部には、ケース２の凹部２７に位置決めされる位置決め片７ｂが下方側（Ｚ２方向側）に折り曲げられて形成されている。また、天板部７ａの四隅部近傍には、天板部７ａの短手方向（Ｙ１−Ｙ２方向）において対向する長辺の両側縁部から下方側へ折り曲げられた略Ｌ字状の取付片７ｃが設けられている。この取付片７ｃは、カバー部材７をケース２に取り付けるためのものである。すなわち、天板部７ａがケース２の収容部２０を覆うように、カバー部材７がケース２に載置された状態において、取付片７ｃがケース２の取付部２８の下方側へ折り曲げられることにより、ケース２にカバー部材７が取り付けられ、両者が一体化される。なお、図１においては、取付片７ｃが折り曲げられた状態について示している。
【００３６】
次に、スライドスイッチ１００が組み立てられた状態について説明する。図７は、本実施の形態におけるスライドスイッチ１００の上面図であり、図７（ａ）は、図３からカバー部材７を除去して示す上面図、図７（ｂ）は、図７（ａ）からスライド部材３を除去して示す上面図である。図８は、図３をＡ−Ａ線で切断して示す断面図である。なお、便宜上、図７（ａ）、図７（ｂ）に示す状態を、適宜、初期状態と呼ぶ。
【００３７】
図７（ａ）及び図７（ｂ）に示すように、補助板ばね６は、延在方向にける両端部がケース２の凹溝２６に挿入された状態で、ケース２の第２収容部２０ｂ内に保持される。ここで、補助板ばね６は、その板面が第２収容部２０ｂの内底面２１と略直交状態で交差するように、内底面２１（底壁部２２）上に配設される。また、クリック板ばね５は、補助板ばね６とケース２に設けられた一対の支持突部２５との間に配置されて、第２収容部２０ｂ内に保持される。このとき、膨出部５ｂが突出していないクリック板ばね５の他面側が補助板ばね６と対向し、クリック板ばね５の一面側における両端部（一端部５ｃ、他端部５ｄ）が支持突部２５と対向している。なお、クリック板ばね５（板状部５ａ）は、その板面が第２収容部２０ｂの内底面２１と略直交状態で交差するように、内底面２１（底壁部２２）上に配設されている。
【００３８】
スライド部材３は、図７（ａ）及び図８に示すように、可動接点４が固定された状態で、ケース２の収容部２０に収容される。このとき、本体部３０の第１部分３１は、第１収容部２０ａに配置されると共に、カム山部３２ｂを有する第２部分３２は、第２収容部２０ｂに配置される。また、第１部分３１と第２部分３２との間に位置し、凹溝部３３が形成された部分における本体部３０は、案内壁部２４上に位置する収容部２０に配置される。なお、案内壁部２４は、凹溝部３３に挿入されて、スライド部材３のスライド移動を案内可能となっている。
【００３９】
また、図７（ａ）に示す非操作状態（初期状態）においては、スライド部材３のカム山部３２ｂは、クリック板ばね５の膨出部５ｂと係合していない。カム山部３２ｂと膨出部５ｂの頂部５ｆ（図７（ｂ）参照）とが当接せず、両者が係合していない、この非係合状態において、カム山部３２ｂはクリック板ばね５の板状部５ａと対向した状態になっており、クリック板ばね５及び補助板ばね６は、弾性変形していない。このとき、一対の逃げ部３２ｄの間に位置するスライド部材３の張出部３２ｃは、クリック板ばね５の切欠き部５ｅ内に配置される。すなわち、この張出部３２ｃは、切欠き部５ｅが形成された部分におけるクリック板ばね５の端面上に位置している。より具体的には、板状部５ａ及び膨出部５ｂの上端面の上に張出部３２ｃが位置している。したがって、スライド部材３とクリック板ばね５とが、上面視においてオーバーラップするものとなるため、このオーバーラップ分だけスライド部材３のスライド方向（Ｘ１−Ｘ２方向）と直交する幅方向（Ｙ１−Ｙ２方向）におけるスライドスイッチ１００の寸法を小さくすることが可能となる。
【００４０】
また、図７（ａ）に示すように、頂部５ｆを含む膨出部５ｂは、図示左側の逃げ部３２ｄの近傍に位置するスライド部材３の張出部３２ｃに覆われている。このため、張出部３２ｃによって、クリック板ばね５の膨出部５ｂやスライド部材３のカム山部３２ｂを隠すことかできるので、カバー部材７の開口部７１から異物が侵入した場合においても、膨出部５ｂやカム山部３２ｂにこの異物が付着しにくいものとなり、良好なクリック感触を得ることができる。
【００４１】
図８に示すように、カバー部材７がケース２に取り付けられた状態において、スライド部材３の張出部３２ｃの一部は、カバー部材７の天板部７ａで覆われる。すなわち、スライド部材３は、操作部３８を挟んでスライド方向（Ｘ１−Ｘ２方向）と直交する方向（Ｙ１−Ｙ２方向）における双方に位置する本体部３０の上面が、天板部７ａの下面と対向している。この場合、スライド部材３には、可動接点４の接点荷重により上方向（Ｚ１方向）の力が作用しているので、本体部３０の上面は、天板部７ａと接触状態となっている。そして、スライド部材３がスライド移動する際には、カバー部材７（天板部７ａ）がそのスライド移動を案内すると共に、スライド部材３の上下方向の動きを規制する。したがって、スライド部材３の張出部３２ｃは、膨出部５ｂ及びカム山部３２ｂの露出を避ける機能と、天板部７ａによる良好なスライド移動を得る被案内部としての機能とを備えている。このように、張出部３２ｃ上に、カバー部材７が当接して配設されるので、張出部３２ｃにおいてもスライド部材３の上下方向の動きが規制され、クリック板ばね５とスライド部材３とが係脱する際に、スライド部材３が上昇するような不所望な動きの発生を防止して、良好にスライド部材３を操作することができる。
【００４２】
また、図８に示すように、カバー部材７がケース２に取り付けられた際には、クリック板ばね５及び補助板ばね６は、ケース２の内底面２１（底壁部２２）とカバー部材７の天板部７ａとの間に、上下方向の動きが規制された状態で配設される。クリック板ばね５には、両端部（一端部５ｃ、他端部５ｄ）を除いた領域に切欠き部５ｅが形成されている。したがって、両端部（一端部５ｃ、他端部５ｄ）においては、高さ寸法を確保することができ、スライドスイッチ１００が組み立てられた状態においては、両端部（一端部５ｃ、他端部５ｄ）の上端が、僅かな隙間を介してカバー部材７の天板部７ａと対向している。
【００４３】
なお、クリック板ばね５の両端部（一端部５ｃ、他端部５ｄ）とスライド部材３とが干渉することはない。すなわち、スライド部材３が一方（Ｘ１方向）の移動末端までスライドした状態においては、図７（ａ）に示すように、一端部５ｃの上部が、スライド部材３の張出部３２ｃに形成された一方（図示右側）の逃げ部３２ｄに収められる。これとは反対に、スライド部材３が他方（Ｘ２方向）の移動末端までスライドした状態おいては、他端部５ｄの上部は、スライド部材３の他方（図示左側）の逃げ部３２ｄに収められる（図１０参照）。このように、クリック板ばね５の両端部（一端部５ｃ、他端部５ｄ）が、スライド部材３に干渉することなく、上下方向の動きが規制された状態で、ケース２とカバー部材７との間に配設されているので、クリック板ばね５（膨出部５ｂ）がスライド部材３（カム山部３２ｂ）に係脱して変形する際に、クリック板ばね５が不所望に傾くのを防止でき、良好なクリック感触を確実に得ることができる。
【００４４】
図８に示すように、補助板ばね６の上下方向（Ｚ１−Ｚ２方向）における高さ寸法は、クリック板ばね５の両端部（一端部５ｃ、他端部５ｄ）と同等に形成され、その上端部が、僅かな隙間を介してカバー部材７の天板部７ａと対向している。そして、補助板ばね６の上端部における一面（クリック板ばね５と対向する側の面）は、スライド部材３の張出部３２ｃの端面と対向した状態となっている。このように、クリック板ばね５に重ねられる補助板ばね６には、クリック板ばね５のような切欠き部が設けられていないので、上下方向における高さ寸法を確保でき、クリック板ばね５を付勢する弾性力が弱くなるのを抑制できるものとなっている。
【００４５】
次に、スライドスイッチ１００を操作した場合の動作について、説明する。図９は、本実施の形態に係るスライドスイッチ１００の操作の途中状態を示す上面図である。図１０は、本実施の形態に係るスライドスイッチ１００の操作後の状態を示す上面図である。なお、理解を容易にするために、図９、図１０では、カバー部材７を省略している。
図７（ａ）に示す操作前の初期状態において、可動接点４の第１接点部４ｂは、第１固定接点１１と当接している。一方、第２接点部４ｃは、ケース２の内底面２１上に位置して、第２固定接点１２とは接していない。したがって、第１端子部１１ａと第２端子部１２ａとは導通しておらず、スライドスイッチ１００はオフ状態となっている。
【００４６】
このとき、スライド部材３のカム山部３２ｂは、クリック板ばね５の膨出部５ｂの図７（ａ）における右側（Ｘ１方向側）に位置し、カム山部３２ｂと膨出部５ｂ（頂部５ｆ）とが係合していない非係合状態となっている。この非係合状態において、クリック板ばね５の膨出部５ｂ及びこの膨出部５ｂの図示右側に配置される板状部５ａの一部は、スライド部材３の張出部３２ｃの下方に位置している。すなわち、この非係合状態では、張出部３２ｃの一部が、クリック板ばね５の切欠き部５ｅ内に位置すると共に、クリック板ばね５の上端面とカバー部材７との間に配置されるものとなっている（図３及び図８参照）。
【００４７】
図７（ａ）に示す初期状態から、指などでスライド部材３の操作部３８をＸ２方向へスライド操作すると、図９に示す操作途中の状態を経て、図１０に示す状態となる。図９に示す操作の途中状態においては、スライド部材３のカム山部３２ｂがクリック板ばね５の膨出部５ｂの頂部５ｆに乗り上げて、両者が接触して係合した係合状態となっている。このとき、膨出部５ｂは、カム山部３２ｂによって、補助板ばね６側（Ｙ２方向側）へ弾性変形すると共に、補助板ばね６もＹ２方向側へ湾曲するように変形する。したがって、この係合状態では、補助板ばね６は、クリック板ばね５をその他面側（Ｙ２方向側の面側）からカム山部３２ｂ側へ付勢している。
【００４８】
ここで、補助板ばね６の上端部（第１外縁部６ａ）と下端部（第２外縁部６ｂ）には、前述したように、第１凹部６ｃと第２凹部６ｄとが、互い違いとなるように形成されている。このため、補助板ばね６は、蛇行するような形状で弾性変形するので、補助板ばね６の変形できる長さ（ばねスパン）が蛇行する分、長くなり、補助板ばね６の弾性が高められる。なお、図９に示す状態においても、膨出部５ｂの頂部５ｆは、張出部３２ｃによって覆われている。
【００４９】
図９に示す状態から、さらにスライド部材３（操作部３８）をＸ２方向へスライド操作すると、カム山部３２ｂと膨出部５ｂ（頂部５ｆ）とが、非係合状態である図１０に示す状態となる。図１０に示す操作後の状態おいても、可動接点４の第１接点部４ｂは、第１固定接点１１と当接した状態を維持している。一方、第２接点部４ｃは、第２固定接点１２と当接するものとなる。したがって、第１端子部１１ａと第２端子部１２ａとは導通し、スライドスイッチ１００はオン状態に切り替わっている。
【００５０】
このとき、スライド部材３のカム山部３２ｂは、クリック板ばね５の膨出部５ｂの図１０における左側（Ｘ２方向側）に位置し、カム山部３２ｂと膨出部５ｂ（頂部５ｆ）とが係合していない非係合状態となっている。この非係合状態において、クリック板ばね５の膨出部５ｂ及びこの膨出部５ｂの図示左側に配置される板状部５ａの一部は、スライド部材３の張出部３２ｃの下方に位置している。すなわち、この非係合状態では、張出部３２ｃの一部が、クリック板ばね５の切欠き部５ｅ内に位置すると共に、クリック板ばね５の上端面とカバー部材７との間に配置されるものとなっているとなっている。また、図１０に示すように、頂部５ｆを含む膨出部５ｂは、スライド部材３の張出部３２ｃによって覆われている。
【００５１】
なお、図９の状態から図１０の状態に移行し、カム山部３２ｂと膨出部５ｂとが非係合状態となる際に、クリック感触が得られ、操作者はスライドスイッチ１００がオフ状態からオン状態に切り替わったことを感じることができる。一方、スライドスイッチ１００をオン状態からオフ状態に切り替える際には、図１０に示す状態から図９の状態を経由して、再び図７（ａ）に示す状態となる。その際の動作は、前述の動作と逆であるので、その説明は省略する。なお、このスライド操作の際にも、クリック感触を得ることができる。
【００５２】
以上説明したように、本実施の形態においては、クリック板ばね５の膨出部５ｂが突出しない面側（他面側）に、クリック板ばね５を付勢可能な補助板ばね６が配設されている。そして、補助板ばね６の延在方向に沿った互いに対向する上端部である第１外縁部６ａと下端部である第２外縁部６ｂには、それぞれ、複数の第１凹部６ｃと複数の第２凹部６ｄとが形成され、これら第１凹部６ｃと第２凹部６ｄとが、補助板ばね６の延在方向において、互い違いとなるように配置されている。このため、スライド操作に伴って、スライド部材３（カム山部３２ｂ）とクリック板ばね５の膨出部５ｂとが係合し、クリック板ばね５と共に補助板ばね６が変形してクリック板ばね５を付勢する際には、補助板ばね６は、蛇行するような形状で弾性変形するので、補助板ばね６の変形できる長さ（ばねスパン）が蛇行する分、長くなり、補助板ばね６の弾性が高められる。したがって、スライド部材３のスライド方向におけるスライドスイッチ１００の寸法が小さくても、良好なクリック感触を得ることが可能となる。
【００５３】
また、本実施の形態においては、補助板ばね６の第１凹部６ｃと第２凹部６ｄは、Ｕ字状に形成されている。このため、凹部を矩形状やＶ字状に形成した場合に比べて、補助板ばね６の変形を円滑にできるので、変形時に応力が集中しにくくなり、長期に渡って良好なクリック感触を得ることが可能となる。
【００５４】
また、本実施の形態においては、カム山部３２ｂを覆うように設けたスライド部材３の張出部３２ｃによって、クリック板ばね５の膨出部５ｂの少なくとも頂部５ｆが覆われている。したがって、上方に突出する操作部３８がカバー部材７の開口部７１に挿通される形態のスライドスイッチにおいて、スライド部材３のカム山部３２ｂと係脱するクリック板ばね５の膨出部５ｂがカバー部材７の開口部７１内に位置していても、この膨出部５ｂの少なくとも頂部５ｆが開口部７１から露出するのを防ぐことができる。このため、仮に開口部７１から異物が侵入した場合でも、この異物が膨出部５ｂやカム山部３２ｂに付着しにくいものとなり、異物によるクリック感触の悪化を防止することができる。また、クリック板ばね５の一端部５ｃと他端部５ｄには、切欠き部５ｅが設けられていないことから、この一端部５ｃと他端部５ｄとを、ケース２とカバー部材７との間で上下方向の動きを規制することができるので、クリック板ばね５がスライド部材３に係脱して変形する際に、不所望に傾くのを防止でき、良好なクリック感触を確実に得ることができる。
【００５５】
また、本実施の形態においては、膨出部５ｂの頂部５ｆがカム山部３２ｂと係合していない非係合状態、すなわち、非操作状態において、クリック板ばね５の一端部５ｃまたは他端部５ｄを受け入れ可能な一対の逃げ部３２ｄの間に位置するスライド部材３の張出部３２ｃを、切欠き部５ｅが形成された部分におけるクリック板ばね５の上端面とカバー部材７との間に配設している。このため、スライド部材３の張出部３２ｃは、クリック板ばね５の端面上に位置して、スライド部材３とクリック板ばね５とがオーバーラップするものとなるので、スライドスイッチ１００のスライド方向と直交する幅方向（Ｙ１−Ｙ２方向）の寸法を小さくすることが可能となる。また、張出部３２ｃの少なくとも一部は、カバー部材７で覆われているため、張出部３２ｃにおいてもスライド部材３の上下方向の動きを規制できるので、クリック板ばね５とスライド部材３とが係脱する際に、スライド部材３が上昇するような不所望な動きの発生を防止して、良好にスライド部材３を操作することができる。
【００５６】
また、本実施の形態においては、補助板ばね６の高さ寸法を切欠き部５ｅが設けられていないクリック板ばね５の両端部（一端部５ｃ及び他端部５ｄ）と同等にしているので、補助板ばね６の上下方向における寸法が確保されるため、クリック板ばね５を付勢する弾性力が弱くなるのを抑制できる。
【００５７】
なお、本発明は、上述した本実施の形態に限定されるものではなく、要旨を逸脱しない範囲で種々変更して実施することが可能である。例えば、以下のように変形して実施することができ、これらの実施の形態も本発明の技術的範囲に属する。
【００５８】
本実施の形態においては、補助板ばね６に形成した第１凹部６ｃと第２凹部６ｄは、何れも３個としたが、複数個であれば３個に限られない。また、第１凹部６ｃと第２凹部６ｄの数は、同数でなくとも構わない。例えば、第１凹部６ｃを４個とし、第２凹部６ｄを３個としても良い。
【００５９】
また、本実施の形態においては、補助板ばね６に応力が集中しにくいものとするために、第１凹部６ｃと第２凹部６ｄの形状を、Ｕ字状としたが、Ｖ字状や矩形状等の他の形状を除外するものではない。
【００６０】
また、本実施の形態では、クリック板ばね５及び補助板ばね６の板面が、収容部２０の内底面２１と交差するように収容部２０内に保持されるものとしたが、クリック板ばね５及び補助板ばね６の板面が、収容部２０の内底面２１と平行に配置されたものでも良い。
【００６１】
さらに、本実施の形態においては、カバー部材７に開口部７１を設けて、スライド部材３の操作部３８が開口部７１から上方に突出するものとしたが、カバー部材７に開口部を設けずに、スライド部材３の操作部３８が、ハウジングの側方へ突出するスライドスイッチとすることも可能である。この場合には、ケース２に切欠き部を設け、この切欠き部を介して操作部を側方へ突出させる構成を採用することができる。
【００６２】
また、本実施の形態においては、スライド部材３に、カム山部３２ｂを覆う張出部３２ｃを設けて、この張出部３２ｃの一部をクリック板ばね５の切欠き部５ｅ内に配置したものとしたが、スライド部材３に張出部３２ｃを設けない構成であっても構わない。この場合には、クリック板ばね５に切欠き部を形成する必要はない。
【符号の説明】
【００６３】
１      固定接点
１１    第１固定接点
１１ａ  第１端子部
１２    第２固定接点
１２ａ  第２端子部
２      ケース
２０    収容部
２０ａ  第１収容部
２０ｂ  第２収容部
２１    内底面
２２    底壁部
２３    側壁部
２３ａ  第１側壁部
２３ｂ  第２側壁部
２４    案内壁部
２５    支持突部
２６    凹溝
２７    凹部
２８    取付部
３      スライド部材
３０    本体部
３１    第１部分
３１ａ  配置部
３２    第２部分
３２ａ  壁部
３２ｂ  カム山部
３２ｃ  張出部
３２ｄ  逃げ部
３３    凹溝部
３８    操作部
４      可動接点
４ａ    基部
４ｂ    第１接点部
４ｃ    第２接点部
４ｄ    延出部
５      クリック板ばね
５ａ    板状部
５ｂ    膨出部
５ｃ    一端部
５ｄ    他端部
５ｅ    切欠き部
５ｆ    頂部
６      補助板ばね
６ａ    第１外縁部（上端部）
６ｂ    第２外縁部（下端部）
６ｃ    第１凹部
６ｄ    第２凹部
７      カバー部材
７ａ    天板部
７ｂ    位置決め片
７ｃ    取付片
７１    開口部
９０    ハウジング
１００  スライドスイッチ
【図１】
0006052842.tif 000002
【図２】
0006052842.tif 000003
【図３】
0006052842.tif 000004
【図４】
0006052842.tif 000005
【図５】
0006052842.tif 000006
【図６】
0006052842.tif 000007
【図７】
0006052842.tif 000008
【図８】
0006052842.tif 000009
【図９】
0006052842.tif 000010
【図１０】
0006052842.tif 000011